(57)【特許請求の範囲】
【請求項１】
装置本体と、
前記装置本体に対し着脱可能な操作表示装置とを備え、
前記操作表示装置は、
筐体と、
前記筐体に配置されユーザー操作を検出する入力装置と、
前記筐体に配置された表示装置と、
前記筐体内部に配置され前記装置本体から供給される電力を蓄電する蓄電部と、
前記筐体に収容されている可動式の取っ手部材と、
前記筐体表面に形成され、前記取っ手部材の先端を固定するための取っ手受穴と、
前記取っ手部材の先端が前記取っ手受穴に固定されたことを検出する検出部と、
前記装置本体を制御するための操作画面を前記表示装置に表示させ、前記入力装置により検出された前記操作画面に対するユーザー操作の情報を前記装置本体へ送信し、前記取っ手部材の先端が前記取っ手受穴に固定されたことが前記検出部により検出された後、前記蓄電部に蓄電された電力を使用して所定の携帯型電子機器としての動作を開始するコントローラーと、
を有することを特徴とする電子装置。
【請求項２】
装置本体に対し着脱可能な操作表示装置であって、
筐体と、
前記筐体に配置されユーザー操作を検出する入力装置と、
前記筐体に配置された表示装置と、
前記筐体内部に配置され前記装置本体から供給される電力を蓄電する蓄電部と、
前記筐体に収容されている可動式の取っ手部材と、
前記筐体表面に形成され、前記取っ手部材の先端を固定するための取っ手受穴と、
前記取っ手部材の先端が前記取っ手受穴に固定されたことを検出する検出部と、
前記装置本体を制御するための操作画面を前記表示装置に表示させ、前記入力装置により検出された前記操作画面に対するユーザー操作の情報を前記装置本体へ送信し、前記取っ手部材の先端が前記取っ手受穴に固定されたことが前記検出部により検出された後、前記蓄電部に蓄電された電力を使用して所定の携帯型電子機器としての動作を開始させるコントローラーと、
を備えることを特徴とする操作表示装置。
【請求項３】
前記表示装置および前記入力装置は、前記筐体の前面に配置されており、
前記取っ手部材は、前記筐体の背面に収容されていること、
を特徴とする請求項２記載の操作表示装置。
【請求項４】
前記筐体の１つの側面に対して並行に形成された軸と、
前記取っ手部材の第１端部に形成され前記軸が挿通される軸挿通孔と、
前記筐体の背面に形成された前記取っ手部材を収容する収容溝とをさらに備え、
前記取っ手受穴は、前記側面に形成され、前記取っ手部材の第１端部とは反対側の第２端部の先端を挿入され固定すること、
を特徴とする請求項３記載の操作表示装置。
【請求項５】
前記取っ手受穴は、前記取っ手部材の前記第２端部の先端を、第１挿入長および前記第１挿入長より長い第２挿入長のいずれにおいても固定し、
前記検出部は、前記第１挿入長においては、前記取っ手部材の先端が前記取っ手受穴に固定されたことを検出せず、前記第２挿入長においては、前記取っ手部材の先端が前記取っ手受穴に固定されたことを検出すること、
を特徴とする請求項４記載の操作表示装置。
【請求項６】
前記コントローラーは、前記取っ手部材の先端が前記取っ手受穴に固定されたことが前記検出部により検出された後、前記操作画面の表示を終了し、前記蓄電部に蓄電された電力を使用して所定の携帯型電子機器としての動作を開始させることを特徴とする請求項２記載の操作表示装置。
【請求項７】
前記コントローラーは、前記取っ手部材の先端が前記取っ手受穴に固定されたことが前記検出部により検出された後、前記操作画面の表示を終了し、前記蓄電部に蓄電された電力を使用して前記表示装置からの発光量を増加させることを特徴とする請求項６記載の操作表示装置。
【請求項８】
前記コントローラーは、前記取っ手部材の先端が前記取っ手受穴に固定されたことが前記検出部により検出された後、ただちに非常用操作部を前記表示装置に表示させ、前記非常用操作部に対するユーザー操作が前記入力装置により検出されると、ただちに、前記操作画面および前記非常用操作部の表示を終了し、前記蓄電部に蓄電された電力を使用して前記表示装置からの発光量を増加させることを特徴とする請求項７記載の操作表示装置。
【請求項９】
前記コントローラーは、前記非常用操作部に対するユーザー操作が前記入力装置により検出されると、前記表示装置からの発光量を調節するための光量調節操作部を前記表示装置に表示させることを特徴とする請求項８記載の操作表示装置。
【請求項１０】
前記コントローラーは、前記表示装置の画素の出力光量またはバックライトの出力光量を増加させるか、前記表示装置の発光色を白色に変更することで、前記表示装置からの発光量を増加させることを特徴とする請求項７から請求項９のうちのいずれか１項記載の操作表示装置。
【請求項１１】
前記コントローラーは、前記取っ手部材の先端が前記取っ手受穴に固定されたことが前記検出部により検出された後、前記操作画面の表示を終了し、前記蓄電部に蓄電された電力を使用して携帯型ラジオ放送受信機または携帯型テレビジョン放送受信機としての動作を開始させることを特徴とする請求項２から請求項５のうちのいずれか１項記載の操作表示装置。
【発明の詳細な説明】
【技術分野】
【０００１】
本発明は、電子装置および操作表示装置に関するものである。
【背景技術】
【０００２】
通常、商用電源を使用する電子装置（例えば複合機などの画像形成装置）は、災害発生時に商用電源からの電力供給が停止すると動作を継続できなくなるため、災害発生時に有効に利用されていない。そこで、本出願人は、災害発生時に被害状況の情報を収集する画像形成装置を提案している（特許文献１参照）。
【０００３】
また、他の技術として、装置本体に対して着脱可能な操作部を有する画像形成装置が提案されている（例えば特許文献２参照）。
【先行技術文献】
【特許文献】
【０００４】
【特許文献１】特開２００８−２３６４８４号公報
【特許文献２】特開平５−１９５５１号公報
【発明の概要】
【発明が解決しようとする課題】
【０００５】
地震などの災害が夕方や夜間といった人工照明を使用する時間帯に発生した場合、商用電源からの通電が停止すると、人工照明からの光がなくなり、ユーザーの周囲が暗く避難等が困難になる可能性がある。
【０００６】
大規模なオフィスでは、非常用電源および非常用照明の設備があるが、中規模および小規模のオフィスでは、非常用電源および非常用照明の設備がないことが多い。また、非常用ライトを常備しておいたとしても、画像形成装置のようなオフィス機器を操作しているときに災害が発生し一瞬のうちに周囲が真っ暗になった場合、非常用ライトが手元になければ、真っ暗なオフィス内を移動して非常用ライトを取りにいかなければならず、用をなさない。
【０００７】
操作パネルを有する画像形成装置のようなオフィス機器の場合、例えば無停電電源が接続されていれば、操作パネルの表示装置を発光させることはできるが、通常、操作パネルの表示装置には操作画面が表示されており、そのような操作画面は、その機器を操作するためのボタンなどを有するため、それほど発光量が多くなく、非常用のライトとして使用するには、不十分である。
【０００８】
本発明は、上記の問題に鑑みてなされたものであり、非常用ライトなどの携帯型電子機器をユーザーに提供可能な電子装置およびその電子装置に使用可能な操作表示装置を得ることを目的とする。
【課題を解決するための手段】
【０００９】
上記の課題を解決するために、本発明では以下のようにした。
【００１０】
本発明に係る電子装置は、装置本体と、装置本体に対し着脱可能な操作表示装置とを備える。そして、操作表示装置は、筐体と、筐体に配置されユーザー操作を検出する入力装置と、筐体に配置された表示装置と、筐体内部に配置され装置本体から供給される電力を蓄電する蓄電部と、筐体に収容された可動式の取っ手部材と、筐体表面に形成され、取っ手部材の先端を固定するための取っ手受穴と、取っ手部材の先端が取っ手受穴に固定されたことを検出する検出部と、装置本体を制御するための操作画面を表示装置に表示させ、入力装置により検出された操作画面に対するユーザー操作の情報を装置本体へ送信し、取っ手部材の先端が取っ手受穴に固定されたことが検出部により検出された後、蓄電部に蓄電された電力を使用して所定の携帯型電子機器としての動作を開始するコントローラーとを有する。
【００１１】
これにより、ユーザーが、装置本体から操作表示装置を取り外し、取っ手部材の先端を取っ手受穴を押し込んで固定することで、取っ手部材が取っ手として機能するとともに操作表示装置が所定の携帯型電子機器として使用可能となり、所定の携帯型電子機器をユーザーに提供できる。
【００１２】
本発明に係る操作表示装置は、装置本体に対し着脱可能であって、筐体と、筐体に配置されユーザー操作を検出する入力装置と、筐体に配置された表示装置と、筐体内部に配置され装置本体から供給される電力を蓄電する蓄電部と、筐体に収容されている可動式の取っ手部材と、筐体表面に形成され、取っ手部材の先端を固定するための取っ手受穴と、取っ手部材の先端が取っ手受穴に固定されたことを検出する検出部と、装置本体を制御するための操作画面を表示装置に表示させ、入力装置により検出された操作画面に対するユーザー操作の情報を装置本体へ送信し、取っ手部材の先端が取っ手受穴に固定されたことが検出部により検出された後、蓄電部に蓄電された電力を使用して所定の携帯型電子機器としての動作を開始するコントローラーとを備える。
【００１３】
これにより、ユーザーが、装置本体から操作表示装置を取り外し、取っ手部材の先端を取っ手受穴を押し込んで固定することで、取っ手部材が取っ手として機能するとともに操作表示装置が所定の携帯型電子機器として使用可能となり、所定の携帯型電子機器をユーザーに提供できる。
【００１４】
また、本発明に係る操作表示装置は、上記の操作表示装置に加え、次のようにしてもよい。この場合、表示装置および入力装置は、筐体の前面に配置されており、取っ手部材は、筐体の背面に収容されている。
【００１５】
これにより、操作表示装置が装置本体に固定されているときには、ユーザーは取っ手部材を操作することができないため、装置本体に固定されているときに操作表示装置を所定の携帯型電子機器として動作させないようにできる。
【００１６】
また、本発明に係る操作表示装置は、上記の操作表示装置に加え、次のようにしてもよい。この場合、操作表示装置は、筐体の１つの側面に対して並行に形成された軸と、取っ手部材の第１端部に形成されその軸が挿通される軸挿通孔と、筐体の背面に形成された取っ手部材を収容する収容溝とをさらに備える。そして、取っ手受穴は、その側面に形成され、取っ手部材の第１端部とは反対側の第２端部の先端を挿入され固定する。
【００１７】
これにより、ユーザーは、軸を中心にして取っ手部材を回動して収容溝から外し、その後、取っ手部材の第２端部の先端を取っ手受穴に押し込むことで、取っ手を取っ手部材として機能させることができる。また、操作表示装置が装置本体に固定されているときは、取っ手部材が収容溝に収容されているため、操作表示装置を装置本体に固定するのに取っ手部材が邪魔にならない。
【００１８】
また、本発明に係る操作表示装置は、上記の操作表示装置に加え、次のようにしてもよい。この場合、取っ手受穴は、取っ手部材の第２端部の先端を、第１挿入長および第１挿入長より長い第２挿入長のいずれにおいても固定し、検出部は、第１挿入長においては、取っ手部材の先端が取っ手受穴に固定されたことを検出せず、第２挿入長においては、取っ手部材の先端が取っ手受穴に固定されたことを検出する。
【００１９】
これにより、ユーザーは、第２挿入長だけ取っ手部材の第２端部を取っ手受穴に押し込むことで、操作表示装置を所定の携帯型電子機器として動作させることができ、その後、取っ手部材の第２端部を第１挿入長の位置まで取っ手受穴から少し抜くことで、所定の携帯型電子機器としての動作を停止させることができる。つまり、ユーザーは、取っ手部材の挿入長を変えることで、取っ手部材を、取っ手として使用しつつ、所定の携帯型電子機器としての動作をオン／オフするスイッチとして使用することができる。
【００２０】
また、本発明に係る操作表示装置は、上記の操作表示装置に加え、次のようにしてもよい。この場合、コントローラーは、取っ手部材の先端が取っ手受穴に固定されたことが検出部により検出された後、操作画面の表示を終了し、蓄電部に蓄電された電力を使用して所定の携帯型電子機器としての動作を開始させる。
【００２１】
また、本発明に係る操作表示装置は、上記の操作表示装置に加え、次のようにしてもよい。この場合、コントローラーは、取っ手部材の先端が取っ手受穴に固定されたことが検出部により検出された後、上述の操作画面の表示を終了し、蓄電部に蓄電された電力を使用して表示装置からの発光量を増加させる。
【００２２】
これにより、ユーザーが、装置本体から操作表示装置を取り外し、取っ手部材の先端を取っ手受穴を押し込んで固定することで、取っ手部材が取っ手として機能するとともに操作表示装置が非常用ライトとして使用可能となり、非常用ライトをユーザーに提供できる。
【００２３】
また、本発明に係る操作表示装置は、上記の操作表示装置に加え、次のようにしてもよい。コントローラーは、取っ手部材の先端が取っ手受穴に固定されたことが検出部により検出された後、ただちに非常用操作部を表示装置に表示させ、非常用操作部に対するユーザー操作が入力装置により検出されると、ただちに、操作画面および非常用操作部の表示を終了し、蓄電部に蓄電された電力を使用して表示装置からの発光量を増加させる。
【００２４】
これにより、ユーザーが操作表示装置を非常用ライトとしてただちに使用する必要がない場合には、蓄電部に蓄電された電力の、取り外し直後の不要な消費を抑えられる。したがって、ユーザーが操作表示装置を非常用ライトとして使用したいときまで、蓄電部に電力を残しておくことができる。
【００２５】
また、本発明に係る操作表示装置は、上記の操作表示装置に加え、次のようにしてもよい。この場合、コントローラーは、非常用操作部に対するユーザー操作が入力装置により検出されると、表示装置からの発光量を調節するための光量調節操作部を表示装置に表示させる。
【００２６】
これにより、ユーザーが所望の光量で操作表示装置を非常用ライトとして使用でき、蓄電部に蓄電されている電力を有効に使用することができる。
【００２７】
また、本発明に係る操作表示装置は、上記の操作表示装置に加え、次のようにしてもよい。この場合、コントローラーは、表示装置の画素の出力光量またはバックライトの出力光量を増加させるか、表示装置の発光色を白色に変更することで、表示装置からの発光量を増加させる。
【００２８】
また、本発明に係る操作表示装置は、上記の操作表示装置に加え、次のようにしてもよい。この場合、コントローラーは、取っ手部材の先端が取っ手受穴に固定されたことが検出部により検出された後、操作画面の表示を終了し、蓄電部に蓄電された電力を使用して携帯型ラジオ放送受信機または携帯型テレビジョン放送受信機としての動作を開始させる。
【００２９】
これにより、ユーザーが、装置本体から操作表示装置を取り外し、取っ手部材の先端を取っ手受穴を押し込んで固定することで、取っ手部材が取っ手として機能するとともに操作表示装置が携帯型ラジオ放送受信機または携帯型テレビジョン放送受信機として使用可能となり、携帯型ラジオ放送受信機または携帯型テレビジョン放送受信機をユーザーに提供できる。
【発明の効果】
【００３０】
本発明によれば、電子装置等で、非常用ライトなどの所定の携帯型電子機器をユーザーに提供可能になる。
【図面の簡単な説明】
【００３１】
【図１】図１は、本発明の実施の形態１に係る電子装置を示す斜視図である。
【図２】図２は、実施の形態１において、装置本体から操作表示装置を取り外した際の電子装置を示す斜視図である。
【図３】図３は、実施の形態１における操作表示装置を示す斜視図である。
【図４】図４は、実施の形態１における操作表示装置を示す側面図および背面図である。
【図５】図５は、実施の形態１における操作表示装置の取っ手部材の一例を示す斜視図である。
【図６】図６は、実施の形態１における、取っ手部材を操作したときの操作表示装置を示す背面図である。
【図７】図７は、実施の形態１に係る電子装置の電気的な構成を示すブロック図である。
【図８】図８は、取っ手部材の先端が取っ手受穴に押し込まれた場合の実施の形態１における操作表示装置の動作を説明するフローチャート図である。
【図９】図９は、取っ手部材の先端が取っ手受穴に押し込まれた場合の実施の形態２における操作表示装置の動作を説明するフローチャート図である。
【図１０】図１０は、実施の形態２における操作表示装置による操作画面に表示される緊急メニューボタンの一例を示す図である。
【図１１】図１１は、実施の形態２における操作表示装置の表示装置に表示される光量調節ボタンの一例を示す図である。
【発明を実施するための形態】
【００３２】
以下、図に基づいて本発明の実施の形態を説明する。
【００３３】
実施の形態１．
【００３４】
図１は、本発明の実施の形態１に係る電子装置を示す斜視図である。この電子装置は、複合機である。なお、この電子装置の形態は、プリンター、複写機などの他の画像形成装置としてもよい。
【００３５】
図２は、実施の形態１において、装置本体１から操作表示装置２を取り外した際の電子装置を示す斜視図である。図２に示すように、実施の形態１では、装置本体１に対し操作表示装置２が着脱可能となっている。操作表示装置２は、略平板状の形状を有し、図示せぬ結合構造で、装置本体１に対して固定および取り外し可能となっている。この結合構造としては、例えば、装置本体１および操作表示装置２の一方に凹部を形成し、他方に凸部を形成して、その凸部を凹部に嵌め込むことで、操作表示装置２を装置本体１に固定し、その凸部を凹部から外すことで、操作表示装置２を装置本体１から取り外すことができる構造が考えられる。
【００３６】
なお、装置本体１から操作表示装置２への電力供給、および装置本体１と操作表示装置２との間の通信は、接続端子を双方に（例えば上述の凹部と凸部に）設けて有線で行うようにしてもよいし、無線で行うようにしてもよい。なお、無線で電力供給を行う場合、電磁誘導などで電力が伝送される。
【００３７】
図３は、実施の形態１における操作表示装置２を示す斜視図である。図３に示すように、操作表示装置２の筐体６０の前面には、表示装置２１および入力装置２２が設けられており、通常時には、表示装置２１および入力装置２２が、この電子装置のユーザーインターフェイスとして機能する。つまり、装置本体１からの要求に応じて表示装置２１に操作画面が表示され、その操作画面に対するユーザー操作が入力装置２２で検出されると、その操作情報が装置本体１へ送信され、装置本体１は、その操作情報に基づいて各種処理を行う。
【００３８】
図４は、実施の形態１における操作表示装置を示す側面図および背面図である。図４（Ａ）は、実施の形態１における操作表示装置を示す側面図であり、図４（Ｂ）は、実施の形態１における操作表示装置を示す背面図である。図５は、実施の形態１における操作表示装置の取っ手部材の一例を示す斜視図である。
【００３９】
図４に示すように、筐体６０の背面には、図５に示すような取っ手部材６１が収容されている。図５に示すように、この取っ手部材６１は、略四角柱状の握持部６２と、握持部６２の一端から略直角の方向に直線状に延びる第１端部６３と、握持部６２の他端から略直角の方向に直線状に延びる第２端部６４とを有する。第１端部６３には、握持部６２に略平行な軸挿通孔６５が形成されており、第２端部６４の互い対向する２側面には、嵌合穴６６がそれぞれ形成されている。
【００４０】
また、筐体６０の１つの側面７０には、取っ手部材６１の第２端部６４を挿入され固定する取っ手受穴７１が形成されており、筐体６０の背面には、取っ手部材６１が背面から突出しないように収容可能な収容溝７２が形成されている。収容溝７２の、側面７０付近には、その側面７０に平行な軸７３が形成され、取っ手部材６１の軸挿通孔６５に挿通されている。さらに、取っ手受穴７１の対向する２側面には、嵌合凸部７４がそれぞれ形成されている。
【００４１】
図６は、実施の形態１における、取っ手部材を操作したときの操作表示装置２を示す背面図である。操作表示装置２を装置本体１から取り外した後、操作表示装置２の背面の収容溝７２から取っ手部材６１を略１８０度回動させて取り外すと、図６（Ａ）に示す状態となる。この状態で、取っ手部材６１を筐体６０の側面７０に向って押し、取っ手部材６１の第２端部６４を取っ手受穴７１に押し込むことで、第２端部６４の嵌合穴６６と取っ手受穴７１の嵌合凸部７４とが互いに嵌合する。これにより、取っ手部材６１が固定される。
【００４２】
次に、実施の形態１に係る電子装置の電気的な構成について説明する。図７は、実施の形態１に係る電子装置の電気的な構成を示すブロック図である。なお、図７において、破線は、電力供給を示し、実線はデータ通信および／または制御を示している。
【００４３】
図７に示すように、装置本体１は、電源部１１、電源スイッチ１２、蓄電部１３、電力供給部１４、メインコントローラー１５、および通信回路１６を有する。
【００４４】
電源部１１は、電源スイッチ１２を介して商用電源１０１に接続されており、変圧、ＡＣ／ＤＣ変換などを行って所定の電源電圧を生成し、装置本体１内の各部に印加する回路である。
【００４５】
電源スイッチ１２は、ユーザーによって操作され、オン状態では、電源部１１が商用電源１０１に接続され、オフ状態では、電源部１１が商用電源１０１から切断される。
【００４６】
蓄電部１３は、電源部１１に接続され、電源部１１による電力を内蔵のキャパシターや蓄電池に蓄電する。電源部１１は、商用電源１０１からの電力供給が異常停止したときに、蓄電部１３に蓄電された電力を使用して、装置本体１内の電力供給を一時的に継続する。
【００４７】
電力供給部１４は、電源部１１から供給される電力を操作表示装置２へ供給する。電力供給部１４としては、例えば、操作表示装置２側の接続端子に接触または接続される接続端子が使用される。あるいは、非接触給電の場合には、電力供給部１４としては、例えば、インバーターおよび電磁誘導用コイルなどが使用される。
【００４８】
メインコントローラー１５は、図示せぬ内部装置（画像形成装置の場合、画像読取装置、印刷装置など）を制御して各種処理を実行させる。また、メインコントローラー１５は、操作表示装置２をユーザーインターフェイスとして使用し、ユーザーに対する各種情報の表示、ユーザー操作の検出を行う。
【００４９】
通信回路１６は、操作表示装置２と無線または有線で通信するための回路である。
【００５０】
他方、操作表示装置２は、表示装置２１、入力装置２２、電源回路２３、蓄電部２４、コントローラー２５、通信回路２６、および取っ手検出部２７を有する。
【００５１】
表示装置２１は、例えば液晶ディスプレイであって、通常時には、装置本体１からの要求に応じた操作画面を表示する。
【００５２】
入力装置２２は、例えば、タッチパネル、ハードウェアボタンなどであって、通常時には、表示装置２１に表示された操作画面に対するユーザー操作を検出し、その操作に対応する電子信号を出力する。
【００５３】
電源回路２３は、通常時には、装置本体１の電力供給部１４から供給される電力を、蓄電部２４に蓄電する他、操作表示装置２内の各部に電源電力として供給し、装置本体１から操作表示装置２が取り外され装置本体１からの電力供給が停止した場合、取っ手部材６１の先端が取っ手受穴７１に固定されると、蓄電部２４に蓄電されている電力を、操作表示装置２内の各部に電源電力として供給する。
【００５４】
蓄電部２４は、例えば蓄電池を内蔵しており、電源回路２３を介して供給される装置本体１からの電力を蓄電する。
【００５５】
コントローラー２５は、通常時には、装置本体１からの要求に応じて操作画面を表示装置２１に表示させ、その操作画面に対するユーザー操作を入力装置２２で検出し、その操作情報を装置本体１へ送信する。そして、コントローラー２５は、取っ手部材６１の先端が取っ手受穴７１に固定されたことが取っ手検出部２７により検出された後、表示装置２１での通常時の操作画面の表示を終了し、蓄電部２４に蓄電された電力を使用して表示装置２１からの発光量を（例えば最大光量に）増加させる。
【００５６】
表示装置２１が液晶ディスプレイのようにバックライトを有する場合には、コントローラー２５は、バックライトの出力光量を増加させて、表示装置２１からの発光量を増加させる。また、表示装置２１がバックライトを有さず、画素自体が発光する場合には、コントローラー２５は、その画素の出力光量を増加させて、表示装置２１からの発光量を増加させる。さらに、コントローラー２５は、表示装置２１の発光色を白色に変更して、表示装置２１からの発光量を増加させるようにしてもよい。
【００５７】
通信回路２６は、装置本体１の通信回路１６と有線または無線で通信する回路である。
【００５８】
取っ手検出部２７は、取っ手部材６１の先端が取っ手受穴７１に固定されたこと、および取っ手部材６１の先端が取っ手受穴７１から外されたことを電気的または機械的に検出し、その旨を示す電気信号を出力する。例えば、取っ手部材６１の先端が取っ手受穴７１に固定されていない状態および取っ手部材６１の先端が取っ手受穴７１に固定された状態の一方でオン状態となり他方でオフ状態となるように機械式スイッチ（プッシュスイッチなど）が、取っ手検出部２７として、取っ手受穴７１の底面または底面付近の側面に設けられる。
【００５９】
次に、上記実施の形態１に係る電子装置の動作について説明する。
【００６０】
（１）操作表示装置２が装置本体１に固定されている場合
【００６１】
操作表示装置２が装置本体１に固定されている場合、操作表示装置２は、装置本体１に接続された状態で、装置本体１のユーザーインターフェイスとして機能する。
【００６２】
操作表示装置２のコントローラー２５は、メインコントローラー１５からの要求を、通信回路１６，２６を介して受信し、その要求に応じた操作画面を表示装置２１に表示する。そして、その操作画面に対するユーザー操作が入力装置２２により検出されると、コントローラー２５は、その操作情報を、通信回路１６，２６を介してメインコントローラー１５へ送信する。メインコントローラー１５は、その操作情報に応じた処理を実行する。
【００６３】
また、このとき、操作表示装置２の電源回路２３は、装置本体１の電力供給部１４から電力を供給され、その電力で蓄電部２４を充電するとともに、その電力を、電源電力として、操作表示装置２内の各部に供給する。
【００６４】
ユーザーが電源スイッチ１２を操作して装置本体１をシャットダウンする場合、電源部１１は、ユーザーによる電源スイッチ１２の操作を検出し、通電オフ通知の送信が完了するまで、蓄電部１３の電力をメインコントローラー１５に供給する。メインコントローラー１５は、その蓄電部１３の電力を使用して、通信回路１６で、通電オフ通知を送信する。
【００６５】
コントローラー２５は、その通電オフ通知を通信回路２６で受信すると、電源回路２３に対して指令を出力して、操作表示装置２内の各部への電源電力の供給を停止させる。
【００６６】
このように、ユーザーが電源スイッチ１２を操作して装置本体１をシャットダウンさせた場合には、操作表示装置２も併せてシャットダウンする。
【００６７】
（２）操作表示装置２が装置本体１から取り外され取っ手部材６１の先端が取っ手受穴７１に固定された場合
【００６８】
図８は、取っ手部材６１の先端が取っ手受穴７１に押し込まれた場合の実施の形態１における操作表示装置２の動作を説明するフローチャート図である。
【００６９】
ユーザーにより操作表示装置２が装置本体１から取り外され、上述のようにして、取っ手部材６１の先端が取っ手受穴７１に固定されると、操作表示装置２では、取っ手検出部２７が、取っ手部材６１の先端が取っ手受穴７１に固定されたことを検出し、コントローラー２５に通知する（ステップＳ１）。
【００７０】
コントローラー２５は、その通知を受け付けると、操作表示装置２の動作モードを通常モードから非常時モードへ切り替える（ステップＳ２）。このとき、コントローラー２５は、電源回路２３を制御して、蓄電部２４の電力を使用して、電源電力の供給を維持させるとともに、非常用ライトとしての自律的な動作を開始する。そして、コントローラー２５は、その通知の受信後、ただちに、通常時の操作画面の表示を終了して表示装置２１の出力光量を増加させる（ステップＳ３）。このとき、例えば、表示装置２１からの出力光量を大きくするために、コントローラー２５は、表示装置２１には、画像や文字などのオブジェクトの表示を行わない。例えば液晶ディスプレイの場合、バックライトからの光が液晶パネルを透過しやすくなり、表示装置２１からの出力光量が大きくなる。例えば有機ＥＬ（Electro-Luminescence）ディスプレイの場合、画素が発光するため、画像や文字などのオブジェクトの表示を行わず、全域で白色を表示することで、表示装置２１からの出力光量が大きくなる。
【００７１】
その後、操作表示装置２が継続的に非常用ライトとして動作する（ステップＳ４）。
【００７２】
このように、ユーザーが操作表示装置２を装置本体１から取り外した後、取っ手部材６１を操作して取っ手部材６１の先端を取っ手受穴７１に固定させることで、操作表示装置２の動作モードが非常時モードへ移行し、蓄電部２４に蓄電された電力が操作表示装置２内の各部の電源電力として使用され、操作表示装置２が表示装置２１を光源とした非常用ライトとして動作する。そして、ユーザーは、取り外した操作表示装置２を携帯して非常用ライトとして使用することができる。
【００７３】
なお、その後、ユーザーが取っ手部材６１の先端を取っ手受穴７１から外すと、取っ手検出部２７は、取っ手部材６１の先端が取っ手受穴７１から外れたことを検出し、コントローラー２５に通知する。そのとき、コントローラー２５は、操作表示装置２をシャットダウンさせる。その後、再度、ユーザーが取っ手部材６１の先端を取っ手受穴７１に固定すると、同様にして、コントローラー２５は、操作表示装置２を非常用ライトとして動作させる。また、操作表示装置２のシャットダウン後、ユーザーが操作表示装置２を装置本体１へ固定すると、コントローラー２５は、装置本体１からの電力供給がある場合には、操作表示装置２を上述のように装置本体１のユーザーインターフェイスとして動作させる。
【００７４】
以上のように、上記実施の形態１によれば、操作表示装置２は装置本体１に対し着脱可能であって、操作表示装置２では、取っ手部材６１の先端が取っ手受穴７１に固定されると、取っ手検出部２７によりそれが検出される。操作表示装置２のコントローラー２５は、通常時には、装置本体１を制御するための操作画面を表示装置２１に表示させ、入力装置２２により検出された操作画面に対するユーザー操作の情報を装置本体１へ送信し、そして、取っ手部材６１の先端が取っ手受穴７１に固定されたことが取っ手検出部２７により検出された後、蓄電部２４に蓄電された電力を使用して表示装置２１からの発光量を増加させる。
【００７５】
これにより、ユーザーが、装置本体１から操作表示装置２を取り外し、取っ手部材６１の先端を取っ手受穴７１を押し込んで固定することで、取っ手部材６１が取っ手として機能するとともに操作表示装置２が非常用ライトとして使用可能となり、携帯可能な非常用ライトをユーザーに提供できる。
【００７６】
実施の形態２．
【００７７】
本発明の実施の形態２に係る電子装置では、操作表示装置２が、取っ手部材６１の先端が取っ手受穴７１に固定されたことが取っ手検出部２７により検出された後、ただちに緊急メニューボタンを表示し、その緊急メニューボタンに対するユーザー操作が入力装置により検出されると、ただちに、操作画面の表示を終了し表示装置２１からの発光量を増加させる。
【００７８】
なお、実施の形態２に係る電子装置の基本的な構成は実施の形態１のものと同様である。ただし、実施の形態２では、コントローラー２５は以下のように動作する。
【００７９】
図９は、取っ手部材６１の先端が取っ手受穴７１に押し込まれた場合の実施の形態２における操作表示装置２の動作を説明するフローチャート図である。
【００８０】
コントローラー２５は、実施の形態１では、取っ手部材６１の先端が取っ手受穴７１に固定されたことが取っ手検出部２７により検出された後、ただちに、表示装置２の光量を増加させたが、実施の形態２では、緊急メニューボタンに対するユーザー操作があった後に、表示装置２の光量を増加させる。
【００８１】
つまり、実施の形態２では、コントローラー２５は、取っ手部材６１の先端が取っ手受穴７１に固定されたことが取っ手検出部２７により検出された後（ステップＳ１）、ただちに緊急メニューボタンを表示装置２１に表示させる（ステップＳ１１）。
【００８２】
図１０は、実施の形態２における操作表示装置２における操作画面に表示される緊急メニューボタンの一例を示す図である。図１０に示すように、緊急メニューボタン４１が操作画面において表示される。
【００８３】
そして、コントローラー２５は、その緊急メニューボタン４１に対するユーザー操作が入力装置２２により検出されると（ステップＳ１２）、ただちに、実施の形態１と同様の動作モードの切り替えと、表示装置２１からの発光量の増加を実行する（ステップＳ２，Ｓ３）。
【００８４】
また、実施の形態２では、コントローラー２５は、緊急メニューボタン４１に対するユーザー操作が入力装置２２により検出されると、操作画面および緊急メニューボタン４１の表示を終了し、表示装置２１からの発光量を調節するための光量調節ボタンを表示装置２１に表示させる。
【００８５】
図１１は、実施の形態２における操作表示装置２の表示装置２１に表示される光量調節ボタンの一例を示す図である。図１１に示すように、操作画面の表示が終了した後、操作表示装置２の表示装置２１には、光量を多くするための光量調節ボタン５１、光量を少なくするための光量調節ボタン５２、動作モードを通常モードに戻すための非常時動作オフボタン５３が、表示装置２１の矩形表示面の隅に表示される。
【００８６】
入力装置２２に対する操作で光量調節ボタン５１が押下されると（ステップＳ１３）、コントローラー２５は、表示装置２１の発光量を増加させ（ステップＳ１４）、入力装置２２に対する操作で光量調節ボタン５２が押下されると（ステップＳ１３）、コントローラー２５は、表示装置２１の発光量を減少させる（ステップＳ１４）。また、入力装置２２に対する操作で非常時動作オフボタン５３が押下されると、コントローラー２５は、例えば図１０に示すように元の操作画面（緊急メニューボタン４１を含む）を表示装置２１に表示させる。
【００８７】
なお、非常時動作オフボタン５３を表示装置２１に表示せずに、ステップＳ５において表示装置２１からの発光量を増加させた時点から、入力装置２２のハードウェアボタンのうちの最も大きいボタン５４に対する動作割り当てを変更し、ボタン５４を非常時動作オフボタン５３の代わりに使用するようにしてもよい。
【００８８】
以上のように、上記実施の形態２によれば、コントローラー２５は、取っ手部材６１の先端が取っ手受穴７１に固定されたことが取っ手検出部２７により検出された後、ただちに緊急メニューボタン４１を表示装置２１に表示させ、緊急メニューボタン４１に対するユーザー操作が入力装置２２により検出されると、ただちに、表示装置２１からの発光量を増加させる。
【００８９】
これにより、ユーザーが操作表示装置２を非常用ライトとしてただちに使用する必要がない場合には、取っ手部材６１を取っ手として使用開始した直後の、不要な電力消費を抑えられる。したがって、ユーザーが操作表示装置２を非常用ライトとして使用したいときまで、蓄電部２４に電力を残しておくことができる。
【００９０】
なお、上述の各実施の形態は、本発明の好適な例であるが、本発明は、これらに限定されるものではなく、本発明の要旨を逸脱しない範囲において、種々の変形、変更が可能である。
【００９１】
例えば、上記実施の形態１，２において、操作表示装置２のコントローラー２５が、表示装置２１からの発光量を増加させる場合、通信回路２６への電力供給を遮断するようにしてもよい。
【００９２】
また、上記実施の形態１において、図８に示すような、光量調節ボタン５１，５２を表示装置２１に表示するようにしてもよい。
【００９３】
また、上記実施の形態１，２において、取っ手受穴７１を側面７０とは別の側面に設け、その側面に対応して収容溝７２、軸７３などを設けるようにしてもよい。
【００９４】
また、上記実施の形態１，２において、取っ手受穴７１は、取っ手部材６１の第２端部６４の先端を、第１挿入長および第１挿入長より長い第２挿入長のいずれにおいても固定し、取っ手検出部２７は、第１挿入長においては、取っ手部材６１の先端が取っ手受穴７１に固定されたことを検出せず、第２挿入長においては、取っ手部材６１の先端が取っ手受穴７１に固定されたことを検出するようにしてもよい。
【００９５】
例えば、取っ手受穴７１内で第１および第２挿入長（取っ手部材６１の第２端部６４のうち、取っ手受穴７１に入り込んでいる部分の長さ）に対応する異なる深さに、嵌合凸部７４をそれぞれ形成し、取っ手検出部２７は、浅い方の嵌合凸部７４に嵌合穴６６が嵌合したときには、取っ手部材６１の先端を検出せず、深い方の嵌合凸部７４に嵌合穴６６が嵌合したときには、取っ手部材６１の先端を検出するように、取っ手検出部２７を配置すればよい。これにより、ユーザーは、第２挿入長だけ取っ手部材６１の第２端部６４を取っ手受穴７１に押し込むことで、操作表示装置２を非常用ライトとして動作させることができ、その後、取っ手部材６１の第２端部６４を第１挿入長の位置まで取っ手受穴７１から少し抜くことで、操作表示装置２の非常用ライトの動作を停止させることができる。つまり、ユーザーは、取っ手部材６１の挿入長を変えることで、取っ手部材６１を、取っ手として使用しつつ、非常用ライトをオン／オフするスイッチとして使用することができる。
【００９６】
また、上記実施の形態１，２において、取っ手検出部２７を次のような構造としてもよい。まず、取っ手部材６１の第２端部６４の先端または先端側面に導電性部材を配置し、取っ手受穴７１に取っ手部材６１の第２端部６４の先端を固定したときにその導電性部材に対して別々に接触する２つの導電端子を、取っ手受穴７１内の対応する位置に配置し、２つの導電端子の間の導電状態に基づいて、取っ手部材６１の第２端部６４の先端が取っ手受穴７１に固定されたことを検出するようにしてもよい。
【００９７】
また、上記実施の形態１，２では、操作表示装置２を非常用ライトとして使用しているが、操作表示装置２を携帯型のラジオ放送受信機、テレビジョン放送受信機などとして使用するようにしてもよい。その場合、ラジオ放送、テレビジョン放送などのチューナー、アンプ、スピーカーなどを操作表示装置２に内蔵しておき、コントローラー２５は、取っ手部材６１の先端が取っ手受穴７１に固定されたことが検出されると、ラジオ放送受信機、テレビジョン放送受信機などとしての動作を開始し、表示装置２１をラジオ放送受信機、テレビジョン放送受信機などの操作画面に使用し、入力装置２２をラジオ放送受信機、テレビジョン放送受信機などの操作部に使用する。
【産業上の利用可能性】
【００９８】
本発明は、例えば、画像形成装置などの、オフィスに備え付けられるオフィス機器に適用可能である。
【符号の説明】
【００９９】
１  装置本体
２  操作表示装置
２１  表示装置
２２  入力装置
２４  蓄電部
２５  コントローラー
２７  取っ手検出部（検出部の一例）
６０  筐体
６１  取っ手部材
６３  第１端部
６４  第２端部
６５  軸挿通孔
７０  側面
７１  取っ手受穴
７２  収容溝
７３  軸
【図１】
0005713952.tif 000002
【図２】
0005713952.tif 000003
【図３】
0005713952.tif 000004
【図４】
0005713952.tif 000005
【図５】
0005713952.tif 000006
【図６】
0005713952.tif 000007
【図７】
0005713952.tif 000008
【図８】
0005713952.tif 000009
【図９】
0005713952.tif 000010
【図１０】
0005713952.tif 000011
【図１１】
0005713952.tif 000012